(57)【要約】      （修正有）【課題】パレット底部にキャスターを取り付け・取り外しする際に、簡単、確実で迅速に行えるパレットとキャスターのジョイント部材を提供することにある。【解決手段】搬送用パレットの底部に、キャスターを取り付け・取り外し可能に装着するジョイント部材であって、プレート材１０を設け、該プレート材にキャスターを螺着するための一または複数組のキャスター用の取付穴３１、３２を設け、該プレート材１０の起立片２１、あるいは平面部に、一または複数の長穴４１を設け、該長穴４１を利用し、プレート材１０に取り付け・取り外し可能な固定部材を設け、長穴４１と固定部材を用い、プレート材１０を介して、パレットとキャスターを固定する。【選択図】図１
0003221975.tif 000002
【実用新案登録請求の範囲】
【請求項１】
パレット（Ｘ）の底部に、キャスター（Ｙ）を取り付け・取り外し可能に装着するジョイント部材であって、
前記パレット（Ｘ）のコーナー部に設け、平面が多角形状のプレート材（１０）を設け、
該プレート材の縁部を折り曲げ増強部（６０）を形成したコーナー用の第１プレート（１１）を設け、
該第１プレート（１１）の平面中央部に、キャスター（Ｙ）を固着するためのサイズの異なる一または複数組のキャスター用の取付穴（３０）を設け、
該第１プレート（１１）の起立片（２０）には、複数のベルト用の長穴（４１）を形成した長穴付き起立片（２１）を設け、
前記長穴（４１）に、固定部材（５０）の一種であるベルト（５４）を通し、前記第１プレート（１１）をパレット（Ｘ）に形成されたフォークの差し込み穴（Ｚ）で囲まれたパレット（Ｘ）のコーナー部に巻き回して縛り、キャスター（Ｙ）を一時パレット（Ｘ）に固定する
ことを特徴とするパレットとキャスターのジョイント部材。
【請求項２】
パレット（Ｘ）の底部に、キャスター（Ｙ）を取り付け・取り外し可能に装着するジョイント部材であって、
前記パレット（Ｘ）のコーナー部に設け、平面が略矩形状のプレート材（１０）を設け、
該プレート材の隣接する二辺の縁部をそれぞれ上方に折り曲げ、長穴なし起立片（２２）を有するコーナー用の第２プレート（１２）を設け、
且つ、該第２プレート（１２）の平面中央部に、キャスター（Ｙ）を固着するためのサイズの異なる一または複数組のキャスター用の取付穴（３０）を設け、
さらに、前記第２プレート（１２）で前記起立片（２２）の存在しない二辺の平面縁部付近に、ボルト用の長穴（４２）をそれぞれ複数個設け、これらの長穴（４２）と受け板（５６）に設けた複数個の丸穴（５７）とを重ね合わせ、
重ね合わせた両穴（４２、５７）に、ボルト（５１）・ナット（５２）をパレット（Ｘ）を介して差し込み、緊締・固定してキャスター（Ｙ）を一時パレット（Ｘ）に固定する
ことを特徴とする搬送用パレットとキャスターのジョイント部材。
【請求項３】
パレット（Ｘ）の底部に、キャスター（Ｙ）を取り付け・取り外し可能に装着するジョイント部材であって、
前記パレット（Ｘ）のコーナー部に設け、平面が多角形状のプレート材（１０）を設け、
該プレート材の縁部を折り曲げて長穴付き起立片（２１）と、増強部（６０）を形成したコーナー用の第３プレート（１３）を設け、
該第３プレート（１３）の平面中央部に、キャスター（Ｙ）を固着するためのサイズの異なる一または複数組のキャスター用の取付穴（３０）を設け、
該第３プレート（１３）の長穴付き起立片（２１）には、複数のベルト用の長穴（４１）を形成し、
前記ベルト用の長穴（４１）に、固定部材（５０）の一種であるベルト（５４）を通し、前記第３プレート（１３）をパレット（Ｘ）に形成されたフォークの差し込み穴（Ｚ）で囲まれたパレット（Ｘ）のコーナー部に巻き回して縛り、キャスター（Ｙ）を一時パレット（Ｘ）に固定すると共に、
さらに、前記第３プレート（１３）に重ね合わせて積層し、該プレートの外周面と略同一形状であって、適宜の厚みを有するパッド（７０）である、コーナー用パッド（７１）を設け、且つ前記第３プレート（１３）の平面縁部に、支持バー用の長穴（４３）を設け、
該長穴（４３）は、前記支持バー（５８）の端部に形成した丸穴（５７）を重ね合わせて、前記第３プレート（１３）と支持バー（５８）をボルト（５１）・蝶ナット（５５）で緊締・固定し、キャスター（Ｙ）を一時センター用の第３プレート（１６）と固定する
ことを特徴とするパレットとキャスターのジョイント部材。
【請求項４】
パレット（Ｘ）の底部に、キャスター（Ｙ）を取り付け・取り外し可能に装着するジョイント部材であって、
前記パレット（Ｘ）のセンター部に設け、平面が略矩形状のプレート材（１０）を設け、
該プレート材の相対向する縁部を折り曲げ、それぞれ増強部（６０）を形成したセンター用の第１プレート（１４）を設け、
該第１プレート（１４）の平面中央部に、キャスター（Ｙ）を固着するためのサイズの異なる一または複数組のキャスター用の取付穴（３０）を設け、
さらに、前記第１プレート（１４）の平面縁部の各角部付近に、ベルト（５４）を挿入するベルト用の長穴（４１）をそれぞれ設け、
該長穴（４１）にベルト（５４）を通し、前記センター用の第１プレート（１４）をパレット（Ｘ）に差し込み穴（Ｚ）を巻き回して設け、キャスター（Ｙ）を一時パレット（Ｘ）に固定する
ことを特徴とするパレットとキャスターのジョイント部材。
【請求項５】
パレット（Ｘ）の底部に、キャスター（Ｙ）を取り付け・取り外し可能に装着するジョイント部材であって、
前記パレット（Ｘ）のセンター部に設け、平面が略矩形状のプレート材（１０）を設け、
該プレート材の相対向する縁部をそれぞれ折り曲げて増強部（６０）を形成したセンター用の第２プレート（１５）を設け、
該第２プレート（１５）の他の相対向する縁部に、それぞれボルト用の長穴（４２）複数個を設け、
該第２プレート（１５）の平面中央部に、キャスター（Ｙ）を固着するためのサイズの異なる一または複数組のキャスター用の取付穴（３０）を設け、
さらに、前記長穴（４２）を複数個設けた第２プレート（１５）の両側の長穴（４２）に、丸穴（５７）を複数個設けた受け板（５６）を設けて重ね合わせ、
前記丸穴（５７）には、前記長穴（４２）と重ね合わせ、重ね合わせた穴（５７、４２）にボルト（５１）とナット（５２）で、第２プレート（１５）とセンター用の第２プレート（１５）を緊締・固定し、キャスター（Ｙ）を一時パレット（Ｘ）に固定する
ことを特徴とするパレットとキャスターのジョイント部材。
【請求項６】
パレット（Ｘ）の底部に、キャスター（Ｙ）を取り付け・取り外し可能に装着するジョイント部材であって、
前記パレット（Ｘ）のセンター部に取り付け、平面が略矩形状のプレート材（１０）を設け、
該プレート材の縁部を折り曲げ増強部（６０）を形成したセンター用の第３プレート（１６）を設け、
該第３プレート（１６）の四面をそれぞれ折り曲げて形成した増強部（６０）を設け、
該第３プレート（１６）の平面中央部に、キャスター（Ｙ）を固着するためのサイズの異なる一または複数組みのキャスター用の取付穴（３０）を設け、
さらに、前記第３プレート（１６）の各コーナー部にはそれぞれ丸穴（５７）を設けると共に、
該第３プレート（１６）に重ね合わせて積層し、該プレートの外周面と略同一形状であって、適宜の厚みを有するパッド（７０）であるセンター用パッド（７２）を設け、
該パッド（７２）の各コーナー部はそれぞれ一部切除し、該パッド（７２）の対角線状に、支持バー（５８）のうち、長支持バー（５８ａ）を差し込む溝（７３）を形成し、
前記長支持バー（５８ａ）の中央部に設けた２個の丸穴（５７）と第３プレート（１６）の対角線状に形成した丸穴（５７）（５７）とそれぞれ重ね合わせ、ボルト（５１）と蝶ナット（５５）で固定し、
第３プレート（１６）の他の丸穴（５７）、（５７）は、それぞれ短支持バー（５８ｂ）の一端部に形成した丸穴（５７）と重ね合わせ、ボルト（５１）と蝶ナット（５５）で固定し、
前記両支持バー（５８ａ）、（５８ｂ）のそれぞれ他端の丸穴（５７）は、コーナー用の第３プレート（１３）の支持バー用の長穴（４３）と重ね合わせ、ボルト（５１）・蝶ナット（５５）で緊締・固定し、キャスター（Ｙ）を一時パレット（Ｘ）に固定する
ことを特徴とするパレットとキャスターのジョイント部材。
【請求項７】
前記プレート材（１０）は、前記パレット（Ｘ）の各コーナー部にそれぞれ取り付けるコーナー用のプレートであり、第１プレート（１１）と、第２プレート（１２）と、第３プレート（３）の３種類のプレートからなり、
前記パレット（Ｘ）の中央部に装着するセンター用のプレートであり、第１プレート（１４）、第２プレート（１５）、第３プレート（１６）の３種類からなるプレートである
ことを特徴とする請求項１または２または３または４または５または６記載のパレットとキャスターのジョイント部材。
【請求項８】
前記プレート材（１０）には、複数の起立片（２０）と複数の増強部（６０）を設けた
ことを特徴とする請求項１記載または２記載のパレットとキャスターのジョイント部材。
【請求項９】
前記起立片（２０）は、長穴付き起立片（２１）と、長穴なし起立片（２２）からなる
ことを特徴とする請求項１または２または３または４または５または６または７記載のパレットとキャスターのジョイント部材。
【請求項１０】
前記キャスター用の取付穴（３０）は、前記プレート材（１０）の平面中央部に設け、
市販用のキャスター（Ｙ）側の取付穴と適合する、小型キャスター用取付穴（３１）と、中型キャスター用取付穴（３２）の２種類の取付穴、或いは、これら取付穴（３１，３２）に大型用取付穴（３３）を加えた３種類の取付穴を設けた
ことを特徴とする請求項１または３記載のパレットとキャスターのジョイント部材。
【請求項１１】
前記長穴（４０）は、
前記コーナー用の第１プレート（１１）と、コーナー用の第３プレート（１３）に形成したベルト用の長穴（４１）、
及び、前記コーナー用の第２プレート（１２）、センター用の第１プレート（１４）、第２プレート（１５）のそれぞれ平面縁部付近に設けたボルト用の長穴（４２）である
ことを特徴とする請求項１記載のパレットとキャスターのジョイント部材。
【請求項１２】
前記固定部材（５０）は、
コーナー用のプレート材（１１、１２，１３）、センター用のプレートのプレート材（１４，１５，１６）を介して、それぞれパレット（Ｘ）、キャスター（Ｙ）と取り付け・取り外しを可能にする部材であって、
ボルト（５１）、ナット（５２）、ワッシャ（５３）、ベルト（５４）、蝶ナット（５５）、受け板（５６）、丸穴（５７）、そして支持バー（５８）から選ばれた１または複数の組み合わせである
ことを特徴とする請求項１記載のパレットとキャスターのジョイント部材。
【請求項１３】
前記パッド（７０）は、コーナー用パッド（７１）とセンター用パッド（７２）からなる
ことを特徴とする請求項３または６記載のパレットとキャスターのジョイント部材。
【考案の詳細な説明】
【技術分野】
【０００１】
この考案は、パレット（搬送用のパレットである。）とキャスターのジョイント部材に関する。
【背景技術】
【０００２】
従来、パレットは、例えば、工場等で資材あるいは製品等を搭載してフォークリフトで貨物車両に積み込んだり、積み下ろしたりする際に使用されているものである。
【０００３】
しかし、近年、パレットの底部にキャスターを設け、パレットを台車代わりにして工場内等で物品、あるいは商品を搭載して搬送に利用されている。
【０００４】
このように、パレットは、本来の目的である、物品の積み込み・積み下ろしに使用する場合、そのまま、物品をパレットに搭載したまま倉庫に保管しておく一方、パレットにキャスターを装着し、台車として使用する二通りの目的がある。
【０００５】
そして、このような「キャスター付きパレット」は既に存在している。例えば、特許文献１のように。
【０００６】
さらに、本願出願人が開示した「搬送用パレットにおけるキャスターの固定構造」も存在している。例えば、特許文献２のように。
【先行技術文献】
【特許文献】
【０００７】
【特許文献１】特開２０１１−２１９１５０号公報
【特許文献２】特開２０１６−１１３１８３号公報
【０００８】
しかし、特許文献１の技術目的は、キャスター付パレットの複数枚を積層して保管する場合、全高が高くなり嵩張ることを抑えることにある。
【０００９】
また、特許文献２の技術目的は、パレットにキャスターを、堅牢安定して固定できるよう構成したものである。
【考案の概要】
【考案が解決しようとする課題】
【００１０】
そこでこの考案は、搬送用パレット底部にキャスターを取り付け・取り外しする際に、簡単、確実で迅速に行えるパレットとキャスターのジョイント部材を開発、提供することにある。
【課題を解決するための手段】
【００１１】
この考案のパレットとキャスターのジョイント部材は、パレットの底部に、パレットの底部に、キャスターを取り付け・取り外し可能に装着するジョイント部材であって、前記パレットのコーナー部に設け、平面が多角形状のプレート材を設け、該プレート材の縁部を折り曲げ増強部を形成したコーナー用の第１プレートを設け、該第１プレートの平面中央部に、キャスターを固着するためのサイズの異なる一または複数組のキャスター用の取付穴を設け、該第１プレートの起立片には、複数のベルト用の長穴を形成した長穴付き起立片を設け、前記長穴に、固定部材の一種であるベルトを通し、前記第１プレートをパレットに形成されたフォークの差し込み穴で囲まれたパレットのコーナー部に巻き回して縛り、キャスターを一時パレットに固定することを特徴とする。
【００１２】
パレットの底部に、キャスターを取り付け・取り外し可能に装着するジョイント部材であって、前記パレットのコーナー部に設け、平面が略矩形状のプレート材を設け、該プレート材の隣接する二辺の縁部をそれぞれ上方に折り曲げ、長穴なし起立片を有するコーナー用の第２プレートを設け、且つ、該第２プレートの平面中央部に、キャスターを固着するためのサイズの異なる一または複数組のキャスター用の取付穴を設け、さらに、前記第２プレートで前記起立片の存在しない二辺の平面縁部付近に、ボルト用の長穴をそれぞれ複数個設け、これらの長穴と受け板に設けた複数個の丸穴とを重ね合わせ、重ね合わせた両穴に、ボルト・ナットをパレットを介して差し込み、緊締・固定してキャスターを一時パレットに固定することを特徴とする。
【００１３】
パレットの底部に、キャスターを取り付け・取り外し可能に装着するジョイント部材であって、前記パレットのコーナー部に設け、平面が多角形状のプレート材を設け、該プレート材の縁部を折り曲げて長穴付き起立片と、増強部を形成したコーナー用の第３プレートを設け、該第３プレートの平面中央部に、キャスターを固着するためのサイズの異なる一または複数組のキャスター用の取付穴を設け、該第３プレートの長穴付き起立片には、複数のベルト用の長穴を形成し、前記ベルト用の長穴に、固定部材の一種であるベルトを通し、前記第３プレートをパレットに形成されたフォークの差し込み穴で囲まれたパレットのコーナー部に巻き回して縛り、キャスターを一時パレットに固定すると共に、さらに、前記第３プレートに重ね合わせて積層し、該プレートの外周面と略同一形状であって、適宜の厚みを有するパッドである、コーナー用パッドを設け、且つ前記第３プレートの平面縁部に、支持バー用の長穴を設け、該長穴は、前記支持バーの端部に形成した丸穴を重ね合わせて、前記第３プレートと支持バーをボルト・蝶ナットで緊締・固定し、キャスターを一時センター用の第３プレートと固定することを特徴とする。
【００１４】
パレットの底部に、キャスターを取り付け・取り外し可能に装着するジョイント部材であって、前記パレットのセンター部に設け、平面が略矩形状のプレート材を設け、該プレート材の相対向する縁部を折り曲げ、それぞれ増強部を形成したセンター用の第１プレートを設け、該第１プレートの平面中央部に、キャスターを固着するためのサイズの異なる一または複数組のキャスター用の取付穴を設け、さらに、前記第１プレートの平面縁部の各角部付近に、ベルトを挿入するベルト用の長穴をそれぞれ設け、該長穴にベルトを通し、前記センター用の第１プレートをパレットに差し込み穴を巻き回して設け、キャスターを一時パレットに固定することを特徴とする。
【００１５】
パレットの底部に、キャスターを取り付け・取り外し可能に装着するジョイント部材であって、前記パレットのセンター部に設け、平面が略矩形状のプレート材を設け、該プレート材の相対向する縁部をそれぞれ折り曲げて増強部を形成したセンター用の第２プレートを設け、該第２プレートの他の相対向する縁部に、それぞれボルト用の長穴複数個を設け、該第２プレートの平面中央部に、キャスターを固着するためのサイズの異なる一または複数組のキャスター用の取付穴を設け、さらに、前記長穴を複数個設けた第２プレートの両側の長穴に、丸穴を複数個設けた受け板を設けて重ね合わせ、前記丸穴には、前記長穴と重ね合わせ、重ね合わせた穴にボルトとナットで、第２プレートとセンター用の第２プレートを緊締・固定し、キャスターを一時パレットに固定することを特徴とする。
【００１６】
パレットの底部に、キャスターを取り付け・取り外し可能に装着するジョイント部材であって、前記パレットのセンター部に取り付け、平面が略矩形状のプレート材を設け、該プレート材の縁部を折り曲げ増強部を形成したセンター用の第３プレートを設け、該第３プレートの四面をそれぞれ折り曲げて形成した増強部を設け、該第３プレートの平面中央部に、キャスターを固着するためのサイズの異なる一または複数組みのキャスター用の取付穴を設け、さらに、前記第３プレートの各コーナー部にはそれぞれ丸穴を設けると共に、
該第３プレートに重ね合わせて積層し、該プレートの外周面と略同一形状であって、適宜の厚みを有するパッドであるセンター用パッドを設け、該パッドの各コーナー部はそれぞれ一部切除し、該パッドの対角線状に、支持バーのうち、長支持バーを差し込む溝を形成し、前記長支持バーの中央部に設けた２個の丸穴と第３プレートの対角線状に形成した丸穴とそれぞれ重ね合わせ、ボルトと蝶ナットで固定し、第３プレートの他の丸穴は、それぞれ短支持バーの一端部に形成した丸穴と重ね合わせ、ボルトと蝶ナットで固定し、前記両支持バーのそれぞれ他端の丸穴は、コーナー用の第３プレートの支持バー用の長穴と重ね合わせ、ボルト・蝶ナットで緊締・固定し、キャスターを一時パレットに固定することを特徴とする。
【００１７】
前記プレート材は、前記パレットの各コーナー部にそれぞれ取り付けるコーナー用のプレートであり、第１プレートと、第２プレートと、第３プレートの３種類のプレートからなり、前記パレットの中央部に装着するセンター用のプレートであり、第１プレート、第２プレート、第３プレートの３種類からなるプレートであることを特徴とする。
【００１８】
前記プレート材には、複数の起立片と複数の増強部を設けたことを特徴とする。
【００１９】
前記起立片は、長穴付き起立片と、長穴なし起立片からなることを特徴とする。
【００２０】
前記キャスター用の取付穴は、前記プレート材の平面中央部に設け、市販用のキャスター側の取付穴と適合する、小型キャスター用取付穴と、中型キャスター用取付穴の２種類の取付穴、或いは、これら取付穴に大型用取付穴を加えた３種類の取付穴を設けたことを特徴とする。
【００２１】
前記長穴は、前記コーナー用の第１プレートと、コーナー用の第３プレートに形成したベルト用の長穴、及び、前記コーナー用の第２プレート、センター用の第１プレート、第２プレートのそれぞれ平面縁部付近に設けたボルト用の長穴であることを特徴とする。
【００２２】
前記固定部材は、コーナー用のプレート材、センター用のプレートのプレート材を介して、それぞれパレット、キャスターと取り付け・取り外しを可能にする部材であって、ボルト、ナット、ワッシャ、ベルト、蝶ナット、受け板、丸穴、そして支持バーから選ばれた１または複数の組み合わせであることを特徴とする。
【００２３】
前記パッドは、コーナー用パッドとセンター用パッドからなることを特徴とする。
【考案の効果】
【００２４】
この考案によると、パレット底部にキャスターを取り付け・取り外しする際に、キャスターを固定するプレート材を用い、該プレート材を介して固定部材でパレットに取り付け・取り外し可能に装着することにより、キャスターをパレットに、迅速、確実に取り付け、取り外しができることが出来るという効果を有する。
【図面の簡単な説明】
【００２５】
【図１】この考案に使用するコーナー用の第１プレートの一実施例を示し、（Ａ）は、平面図であり、（Ｂ）は、正面図である。
【図２】この考案に使用するコーナー用の第１プレートの一実施例を示す斜視図である。
【図３】この考案に使用するコーナー用の第２プレートの一実施例を示し、（Ａ）は、平面図であり、（Ｂ）は、正面図であり、（Ｃ）は、右側面図である。
【図４】この考案に使用するコーナー用の第２プレートの一の実施例を示す斜視図である。
【図５】この考案に使用するセンター用の第１プレートの一実施例を示し、（Ａ）は、平面図であり、（Ｂ）は、正面図であり、（Ｃ）は、左側面図である。
【図６】この考案に使用するセンター用の第１プレートの使用状態の一実施例を示す斜視図である。
【図７】この考案に使用するセンター用の第２プレートの使用状態の一実施例を示す底面側からみた斜視図である。
【図８】この考案の取り付け状態を示す一実施例であり、（Ａ）は、底面図であり。（Ｂ）は、正面図である。
【図９】この考案の取り付け状態を示す他の実施例であり、（Ａ）は、底面図であり。（Ｂ）は、正面図である。
【図１０】この考案に使用するコーナー用の第３プレートの一実施例を示し、（Ａ）は、平面図であり、（Ｂ）は、正面図である。
【図１１】この考案に使用するコーナー用の第３プレートに積層するコーナーパッドであり、（Ａ）は、平面図であり。（Ｂ）は、正面図である。
【図１２】この考案に使用するコーナー用の第３プレートとコーナーパッドの積層状態を示し、（Ａ）は、平面図であり、（Ｂ）は、正面図である。
【図１３】この考案に使用するセンター用の第３プレートの一実施例を示し、（Ａ）は、平面図であり、（Ｂ）は、正面図である。
【図１４】この考案に使用するセンター用の第３プレートに積層するセンターパッドであり、（Ａ）は、平面図であり、（Ｂ）は、正面図である。
【図１５】この考案に使用するセンター用の第３プレートとセンターパッドの積層状態を示し、（Ａ）は、平面図であり、（Ｂ）は、正面図である。
【図１６】この考案に使用する支持バーの一実施例を示し、（Ａ）は、長支持バーの平面図であり、（Ｂ）は、長支持バーの側面図であり、（Ｃ）は、短支持バーの正面図であり、（Ｄ）は、短支持バーの側面図である。
【図１７】この考案に使用する指示バーの取り付け状態を示す一実施例であり、（Ａ）は、正面図であり、（Ｂ）は、底面図である。
【図１８】この考案に使用する支持バーの取り付け状態を示す一実施例であり、（Ａ）は、底面から見た状態の斜視図であり、（Ｂ）は、図１８（Ａ）中の（ａ）部分の拡大図であり、（Ｃ）は、図１８（Ａ）中の（ｂ）部分の拡大図である。
【考案を実施するための形態】
【００２６】
以下、本考案について詳細に説明する。尚、この考案においては以下の記述に限定されるものではなく、この考案の要旨を逸脱しない範囲においては適宜変更可能である。
【実施例】
【００２７】
先ず、本願考案の一実施例を図１、図２に基づいて説明すると、パレット（Ｘ）の底部に、キャスター（Ｙ）を取り付け・取り外し可能に装着するジョイント部材であって、前記パレット（Ｘ）のコーナー部に設け、平面が直角面を含む五角形状のプレート材（１０）を設け、該プレート材の縁部を下方に折り曲げ増強部（６０）（６０）を形成したコーナー用の第１プレート（１１）を設け、該第１プレート（１１）の平面中央部に、キャスター（Ｙ）を固着するためのサイズの異なる２組のキャスター用の取付穴（３１）（３２）を設けている。
【００２８】
なお、キャスター（Ｙ）側の取付穴は、車軸に車輪を回転自在に設けた本体の上部に位置し、本体と旋回自在に設けた板状の取付部の四隅に設けられている。一方、本願考案に開示する各プレート材（１０）とは、それぞれ各プレート材の平面中央部に設けた複数組のキャスター用の取付穴（３０）と重ね合わせ、それぞれにボルト（５１）とナット（５２）で緊締・固定しておく事によって、プレート材（１０）であるコーナー用の第一プレート（１１）とキャスター（Ｙ）は、一体に固定される。
【００２９】
そして、該第１プレート（１１）の直角部を挟む二辺の縁部を、それぞれ上方に折り曲げて形成して長穴付き起立片（２１）（２１）を設け、該起立片には２個ずつの長穴（４１）（４１）を設けると共に、これら長穴（４１）には、固定部材（５０）の一種であって、適宜の長さを有するベルト（５４）を通しておく。該ベルトにはバックル（尾錠）を設けている。
【００３０】
そして、図８に示すようにベルト（５４）を取り付けた前記第１プレート（１１）は、パレット（Ｘ）の底面角部にそれぞれ装着し、パレット側面の四周に設けられた（１面にはそれぞれ２個ずつ設けてある。）フォークの差し込み穴（Ｚ）で囲まれたコーナー部にそれぞれ巻き回して縛り、各キャスター（Ｙ）を一時パレット（Ｘ）に固定するパレットとキャスターのジョイント部材から構成される。
【００３１】
次に、この考案の他の実施例を、図３、図４に基づいて説明すると、パレット（Ｘ）の底部に、キャスター（Ｙ）を取り付け・取り外し可能に装着するジョイント部材であって、前記パレット（Ｘ）のコーナー部に設け、平面がコーナー部の１箇所を切り欠いた略正方形のプレート材（１０）を設けている。該プレート材（１０）の直角部を挟む二辺の縁部を、それぞれ上方に折り曲げ、長穴なし起立片（２２）（２２）を有するコーナー用の第２プレート（１２）を設けている。
【００３２】
そして、該第２プレート（１２）の平面部の長穴なし起立片（２２）（２２）側縁部には、キャスター（Ｙ）を固着するためのサイズの異なる２組のキャスター用の取付穴（３１）（３２）を設けている。さらに、前記第２プレート（１２）の２枚の長穴なし起立片（２２）（２２）は、直角状に形成されているパレット（Ｘ）のコーナー部に添わせるよう設けている。
【００３３】
また、前記第２プレート（１２）の平面部には、起立片（２０）であって、前記長穴なし起立片（２２）（２２）が設けられていない他の二辺の平面縁部付近に、ボルト用の長穴（４２）（４２）をそれぞれ２個づつ、合計８個の長穴（４２）を設けている。
【００３４】
これらの長穴（４２）には、図４に示すように固定部材（５０）の一種である受け板（５６）を２枚設けており、これら受け板（５６）（５６）に設けた４個の丸穴（５７）とを重ね合わせ、重ね合わせた両穴（４２、５７）に、ボルト（５１）・ナット（５２）を、パレット（Ｘ）を介して差し込み、緊締・固定し、図９に示すように、キャスター（Ｙ）を一時パレット（Ｘ）のコーナー部に固定するものである。
【００３５】
さらに、この考案の他の実施例を図１０、図１１、図１２に基づいて説明すると、パレット（Ｘ）の底部に、キャスター（Ｙ）を取り付け・取り外し可能に装着するジョイント部材であって、前記パレット（Ｘ）のコーナー部に設ける、平面が略五角形状のプレート材（１０）を設ける。
【００３６】
そして、該プレート材（１０）の縁部を折り曲げて長穴付き起立片（２１）（２１）と、増強部（６０）（６０）を形成したコーナー用の第３プレート（１３）を設け、該第３プレート（１３）の平面中央部に、キャスター（Ｙ）を固着するためのサイズの異なる３組のキャスター用の取付穴（３１）（３２）（３３）を設けている。
【００３７】
該第３プレート（１３）の長穴付き起立片（２１）（２１）には、２個ずつのベルト用の長穴（４１）（４１）をそれぞれ形成して設け、これら長穴（４１）には、固定部材（５０）の一種であるベルト（５４）を通し、前記第３プレート（１３）をパレット（Ｘ）の四周に形成されたフォークリフト（図示せず）のフォークの差し込み穴（Ｚ）で囲まれたパレット（Ｘ）のコーナー部に巻き回して縛り、パレットとキャスター（Ｙ）を一時パレット（Ｘ）に固定するものである。
【００３８】
そして、前記第３プレート（１３）には、該第３プレートに重ね合わせて積層し、該第３プレートの外周面と略同一形状であって、適宜の厚みを有するパッド（７０）であるコーナー用パッド（７１）を設けている。
【００３９】
且つ、前記第３プレート（１３）の増強部（６０）（６０）に挟まれた平面縁部に、支持バー用の長穴（４３）を設けている。該長穴（４３）は、前記支持バー（５８）の端部に形成した丸穴（５７）を重ね合わせて、前記第３プレート（１３）と支持バー（５８）をボルト（５１）・蝶ナット（５５）で緊締・固定し、キャスター（Ｙ）を一時センター用の第３プレート（１６）と固定するものである。（図１７、図１８参照）
【００４０】
さらに、この考案の他の実施例を図５、図６に基づいて説明すると、パレット（Ｘ）の底部に、キャスター（Ｙ）を取り付け・取り外し可能に装着するジョイント部材であって、前記パレット（Ｘ）のセンター部に設け、平面が略矩形状のプレート材（１０）を設けている。
【００４１】
該プレート材（１０）の相対向する縁部は、下方に折り曲げた増強部（６０）をそれぞれ形成したセンター用の第１プレート（１４）を設ける。該第１プレート（１４）の平面中央部に、キャスター（Ｙ）を固着するためのサイズの異なる２組のキャスター用の取付穴（３１）（３２）を設けている。
【００４２】
さらに、前記第１プレート（１４）の平面縁部の各角部付近に、ベルト（５４）を挿入するボルト用の長穴（４１）をそれぞれ１個づつ設け、該長穴（４１）に適宜の長さを有するベルト（５４）を通し、前記第１プレート（１４）をパレット（Ｘ）に差し込み穴（Ｚ）を巻き回して設け、図８に示すようにキャスター（Ｙ）を一時パレット（Ｘ）に固定することを特徴とするものである。
【００４３】
さらに、この考案の他の実施例を図７に基づいて説明すると、パレット（Ｘ）の底部に、キャスター（Ｙ）を取り付け・取り外し可能に装着するジョイント部材であって、前記パレット（Ｘ）のセンター部に設け、平面が略矩形状のプレート材（１０）を設けている。
【００４４】
該プレート材の相対向する縁部をそれぞれ上方に折り曲げて増強部（６０）（６０）を形成したセンター用の第２プレート（１５）を設け、該第２プレート（１５）の他の相対向する縁部に、それぞれ長穴（４２）（４２）を２個づつ、合計４個設けている。
【００４５】
また、該第２プレート（１５）の平面中央部に、キャスター（Ｙ）を固着するためのサイズの異２組のキャスター用の取付穴（３１）（３２）を設けており、さらに、前記長穴（４２）を設けた第２プレート（１５）の両側には、丸穴（５７）を２個づつ設けた受け板（５６）を設けて重ね合わせる。
【００４６】
そして、前記丸穴（５７）と前記長穴（４２）とを重ね合わせた両穴（５７、４２）にを、ボルト（５１）、ワッシャ（５３）とナット（５２）で緊締・固定して、センター用の第２プレート（１５）とパレット（Ｘ）を緊締・固定し、図９に示すように、キャスター（Ｙ）を一時パレット（Ｘ）に固定するパレットとキャスターのジョイント部材である。
【００４７】
さらに、この考案の他の実施例を図１３、図１４、そして図１５に基づいて説明すると、パレット（Ｘ）の底部に、キャスター（Ｙ）を取り付け・取り外し可能に装着するジョイント部材であって、前記パレット（Ｘ）のセンター部に設け、平面が略矩形状のプレート材（１０）を設けている。
【００４８】
前記プレート材（１０）は、センター用の第３プレート（１６）であって、前記パレット（Ｘ）の底部のセンター部に取り付け、平面が略正方形状のプレート材である。
【００４９】
そして、該プレート材の平面中央部に、キャスター（Ｙ）を固着するためのサイズの異なる３組のキャスター用の取付穴（３１）（３２）（３３）を設けており、且つ該第３プレート（１６）の全縁部には、それぞれ上方に折り曲げ増強部（６０）（６０）（６０）（６０）を形成している。なお、前記増強部（６０）は、本考案の他の全ての実施例に示したものと同様に、プレート材（１０）を利用してプレートを強靭に構成している。
【００５０】
さらに、前記第３プレート（１６）の各コーナー部にはそれぞれ丸穴（５７）（５７）（５７）（５７）を設けると共に、該第３プレート（１６）に重ね合わせて積層し、該プレートの外周面と略同一形状であって、適宜の厚みを有するパッド（７０）であるセンター用パッド（７２）を設けている。そして、該パッド（７２）の各コーナー部はそれぞれ一部切除し、該パッド（７２）の対角線状に、図１６に示す支持バー（５８）のうち、長支持バー（５８ａ）を差し込む溝（７３）を形成している。
【００５１】
前記長支持バー（５８ａ）の中央部付近に設けた２個の丸穴（５７）（５７）と第３プレート（１６）の対角線状に形成した丸穴（５７）（５７）とそれぞれ重ね合わせ、ボルト（５１）と蝶ナット（５５）で固定し、第３プレート（１６）の他の丸穴（５７）、（５７）は、それぞれ短支持バー（５８ｂ）の一端部に形成した丸穴（５７）と重ね合わせ、ボルト（５１）と蝶ナット（５５）で固定する。
【００５２】
前記両支持バー（５８ａ）、（５８ｂ）のそれぞれ他端の丸穴（５７）は、コーナー用の第３プレート（１３）の支持バー用の長穴（４３）と重ね合わせ、ボルト（５１）・蝶ナット（５５）で緊締・固定し、図１７、図１８に示すように、キャスター（Ｙ）を一時パレット（Ｘ）に固定するパレットとキャスターのジョイントから構成されている。
【００５３】
これまでに説明した前記の各プレート材（１０）は、前記パレット（Ｘ）の各コーナー部にそれぞれ取り付けるコーナー用のプレートであり、第１プレート（１１）と、第２プレート（１２）と、第３プレート（３）の３種類のプレートからなり、前記パレット（Ｘ）の中央部に装着するセンター用のプレートであり、第１プレート（１４）、第２プレート（１５）、第３プレート（１６）の３種類からなるプレートである。
【００５４】
前記プレート材（１０）には、複数の起立片（２０）のみか、或いは、複数の起立片（２０）と複数の増強部（６０）の両方を設けたプレートが存在している。
【００５５】
さらに、前記起立片（２０）は、長穴付き起立片（２１）と、長穴なし起立片（２２）からなる。
【００５６】
また、前記キャスター用の取付穴（３０）は、前記プレート材（１０）の平面中央部に設け、市販用のキャスター（Ｙ）側の取付穴と適合する、小型キャスター用取付穴（３１）と、中型キャスター用取付穴（３２）の２種類の取付穴、或いは、これら取付穴（３１，３２）に大型用取付穴（３３）を加えた３種類の取付穴を設けている。
【００５７】
前記長穴（４０）は、前記コーナー用の第１プレート（１１）と、コーナー用の第３プレート（１３）に形成したベルト用の長穴（４１）と、前記コーナー用の第２プレート（１２）、センター用の第１プレート（１４）、センター用の第２プレート（１５）のそれぞれ平面縁部付近に形成したボルト用の長穴（４２）からなるものである。
【００５８】
前記固定部材（５０）は、コーナー用のプレート材（１１、１２，１３）、センター用のプレートのプレート材（１４，１５，１０）を介して、それぞれパレット（Ｘ）、キャスター（Ｙ）と取り付け・取り外しを可能にする部材であって、ボルト（５１）、ナット（５２）、ワッシャ（５３）、ベルト（５４）、蝶ナット（５５）、受け板（５６）、丸穴（５７）、そして支持バー（５８）から選ばれた１または複数の組み合わせであることを特徴とする。
【００５９】
前記パッド（７０）は、コーナー用パッド（７１）とセンター用パッド（７２）の２種類からなり、これらのパッドで支持バー（５８）のクリアランスを確保している。
【００６０】
前記受け板（５６）は、細長の板材であって、複数丸穴（５７）を設け、該受け板の一端あるいは両端は、それぞれ先端に進むに従って細く形成し、パレット（Ｘ）の隙間に入り易く形成している。
【００６１】
なお、パレット（Ｘ）は、フォークリフトのフォークを差し込んで使用する表裏両面が使用できるタイプと、ハンドリフトのフォークを差し込んで使用する片面使用のタイプがある。
【００６２】
また、パレット（Ｘ）の素材は、例えば、金属性、非鉄金属、木製等のいずれの素材で構成してもよい。
【産業上の利用可能性】
【００６３】
この考案のパレットとキャスターのジョイント部材の技術を確立し、実施することにより産業上利用可能性があるものである。
【符号の説明】
【００６４】
１０  プレート材                                                                                                                 
１１  コーナー用の第１プレート
１２  コーナー用の第２プレート
１３  コーナー用の第３プレート
１４  センター用の第１プレート
１５  センター用の第２プレート
１６  センター用の第３プレート
２０  起立片
２１  長穴付き起立片
２２  長穴なし起立片
３０  キャスター用の取付穴
３１  小型キャスター用取付穴
３２  中型キャスター用取付穴
３３  大型キャスター用取付穴
４０  長穴
４１  ベルト用の長穴
４２  ボルト用の長穴
４３  支持バー用の長穴
５０  固定部材
５１  ボルト
５２  ナット
５３  ワッシャ
５４  ベルト
５５  蝶ナット
５６  受け板
５７  丸穴
５８  支持バー
５８ａ  長支持バー
５８ｂ  短支持バー
６０  増強部
７０  パッド
７１  コーナー用パッド
７２  センター用パッド
７３  溝
Ｘ  パレット
Ｙ  キャスター
Ｚ  フォークの差込み穴
【図１】
0003221975.tif 000003
【図２】
0003221975.tif 000004
【図３】
0003221975.tif 000005
【図４】
0003221975.tif 000006
【図５】
0003221975.tif 000007
【図６】
0003221975.tif 000008
【図７】
0003221975.tif 000009
【図８】
0003221975.tif 000010
【図９】
0003221975.tif 000011
【図１０】
0003221975.tif 000012
【図１１】
0003221975.tif 000013
【図１２】
0003221975.tif 000014
【図１３】
0003221975.tif 000015
【図１４】
0003221975.tif 000016
【図１５】
0003221975.tif 000017
【図１６】
0003221975.tif 000018
【図１７】
0003221975.tif 000019
【図１８】
0003221975.tif 000020
【手続補正書】
【提出日】平成31年4月22日(2019.4.22)
【手続補正１】
【補正対象書類名】実用新案登録請求の範囲
【補正対象項目名】全文
【補正方法】変更
【補正の内容】
【実用新案登録請求の範囲】
【請求項１】
パレット（Ｘ）の底部に、キャスター（Ｙ）を取り付け・取り外し可能に装着するジョイント部材であって、
前記パレット（Ｘ）のコーナー部に設け、平面が多角形状のプレート材（１０）を設け、
該プレート材の縁部を折り曲げ増強部（６０）を形成したコーナー用の第１プレート（１１）を設け、
該第１プレート（１１）の平面中央部に、キャスター（Ｙ）を固着するためのサイズの異なる一または複数組のキャスター用の取付穴（３０）を設け、
該第１プレート（１１）の起立片（２０）には、複数のベルト用の長穴（４１）を形成した長穴付き起立片（２１）を設け、
前記長穴（４１）に、固定部材（５０）の一種であるベルト（５４）を通し、前記第１プレート（１１）をパレット（Ｘ）に形成されたフォークの差し込み穴（Ｚ）で囲まれたパレット（Ｘ）のコーナー部に巻き回して縛り、キャスター（Ｙ）を一時パレット（Ｘ）に固定する
ことを特徴とするパレットとキャスターのジョイント部材。
【請求項２】
パレット（Ｘ）の底部に、キャスター（Ｙ）を取り付け・取り外し可能に装着するジョイント部材であって、
前記パレット（Ｘ）のコーナー部に設け、平面が略矩形状のプレート材（１０）を設け、
該プレート材の隣接する二辺の縁部をそれぞれ上方に折り曲げ、長穴なし起立片（２２）を有するコーナー用の第２プレート（１２）を設け、
且つ、該第２プレート（１２）の平面中央部に、キャスター（Ｙ）を固着するためのサイズの異なる一または複数組のキャスター用の取付穴（３０）を設け、
さらに、前記第２プレート（１２）で前記起立片（２２）の存在しない二辺の平面縁部付近に、ボルト用の長穴（４２）をそれぞれ複数個設け、これらの長穴（４２）と受け板（５６）に設けた複数個の丸穴（５７）とを重ね合わせ、
重ね合わせた両穴（４２、５７）に、ボルト（５１）・ナット（５２）をパレット（Ｘ）を介して差し込み、緊締・固定してキャスター（Ｙ）を一時パレット（Ｘ）に固定する
ことを特徴とする搬送用パレットとキャスターのジョイント部材。
【請求項３】
パレット（Ｘ）の底部に、キャスター（Ｙ）を取り付け・取り外し可能に装着するジョイント部材であって、
前記パレット（Ｘ）のコーナー部に設け、平面が多角形状のプレート材（１０）を設け、
該プレート材の縁部を折り曲げて長穴付き起立片（２１）と、増強部（６０）を形成したコーナー用の第３プレート（１３）を設け、
該第３プレート（１３）の平面中央部に、キャスター（Ｙ）を固着するためのサイズの異なる一または複数組のキャスター用の取付穴（３０）を設け、
該第３プレート（１３）の長穴付き起立片（２１）には、複数のベルト用の長穴（４１）を形成し、
前記ベルト用の長穴（４１）に、固定部材（５０）の一種であるベルト（５４）を通し、前記第３プレート（１３）をパレット（Ｘ）に形成されたフォークの差し込み穴（Ｚ）で囲まれたパレット（Ｘ）のコーナー部に巻き回して縛り、キャスター（Ｙ）を一時パレット（Ｘ）に固定すると共に、
さらに、前記第３プレート（１３）に重ね合わせて積層し、該プレートの外周面と略同一形状であって、適宜の厚みを有するパッド（７０）である、コーナー用パッド（７１）を設け、且つ前記第３プレート（１３）の平面縁部に、支持バー用の長穴（４３）を設け、
該長穴（４３）は、前記支持バー（５８）の端部に形成した丸穴（５７）を重ね合わせて、前記第３プレート（１３）と支持バー（５８）をボルト（５１）・蝶ナット（５５）で緊締・固定し、キャスター（Ｙ）を一時センター用の第３プレート（１６）と固定する
ことを特徴とするパレットとキャスターのジョイント部材。
【請求項４】
パレット（Ｘ）の底部に、キャスター（Ｙ）を取り付け・取り外し可能に装着するジョイント部材であって、
前記パレット（Ｘ）のセンター部に設け、平面が略矩形状のプレート材（１０）を設け、
該プレート材の相対向する縁部を折り曲げ、それぞれ増強部（６０）を形成したセンター用の第１プレート（１４）を設け、
該第１プレート（１４）の平面中央部に、キャスター（Ｙ）を固着するためのサイズの異なる一または複数組のキャスター用の取付穴（３０）を設け、
さらに、前記第１プレート（１４）の平面縁部の各角部付近に、ベルト（５４）を挿入するベルト用の長穴（４１）をそれぞれ設け、
該長穴（４１）にベルト（５４）を通し、前記センター用の第１プレート（１４）をパレット（Ｘ）に差し込み穴（Ｚ）を巻き回して設け、キャスター（Ｙ）を一時パレット（Ｘ）に固定する
ことを特徴とするパレットとキャスターのジョイント部材。
【請求項５】
パレット（Ｘ）の底部に、キャスター（Ｙ）を取り付け・取り外し可能に装着するジョイント部材であって、
前記パレット（Ｘ）のセンター部に設け、平面が略矩形状のプレート材（１０）を設け、
該プレート材の相対向する縁部をそれぞれ折り曲げて増強部（６０）を形成したセンター用の第２プレート（１５）を設け、
該第２プレート（１５）の他の相対向する縁部に、それぞれボルト用の長穴（４２）複数個を設け、
該第２プレート（１５）の平面中央部に、キャスター（Ｙ）を固着するためのサイズの異なる一または複数組のキャスター用の取付穴（３０）を設け、
さらに、前記長穴（４２）を複数個設けた第２プレート（１５）の両側の長穴（４２）に、丸穴（５７）を複数個設けた受け板（５６）を設けて重ね合わせ、
前記丸穴（５７）には、前記長穴（４２）と重ね合わせ、重ね合わせた穴（５７、４２）にボルト（５１）とナット（５２）で、第２プレート（１５）とセンター用の第２プレート（１５）を緊締・固定し、キャスター（Ｙ）を一時パレット（Ｘ）に固定する
ことを特徴とするパレットとキャスターのジョイント部材。
【請求項６】
パレット（Ｘ）の底部に、キャスター（Ｙ）を取り付け・取り外し可能に装着するジョイント部材であって、
前記パレット（Ｘ）のセンター部に取り付け、平面が略矩形状のプレート材（１０）を設け、
該プレート材の縁部を折り曲げ増強部（６０）を形成したセンター用の第３プレート（１６）を設け、
該第３プレート（１６）の四面をそれぞれ折り曲げて形成した増強部（６０）を設け、
該第３プレート（１６）の平面中央部に、キャスター（Ｙ）を固着するためのサイズの異なる一または複数組みのキャスター用の取付穴（３０）を設け、
さらに、前記第３プレート（１６）の各コーナー部にはそれぞれ丸穴（５７）を設けると共に、
該第３プレート（１６）に重ね合わせて積層し、該プレートの外周面と略同一形状であって、適宜の厚みを有するパッド（７０）であるセンター用パッド（７２）を設け、
該パッド（７２）の各コーナー部はそれぞれ一部切除し、該パッド（７２）の対角線状に、支持バー（５８）のうち、長支持バー（５８ａ）を差し込む溝（７３）を形成し、
前記長支持バー（５８ａ）の中央部に設けた２個の丸穴（５７）と第３プレート（１６）の対角線状に形成した丸穴（５７）（５７）とそれぞれ重ね合わせ、ボルト（５１）と蝶ナット（５５）で固定し、
第３プレート（１６）の他の丸穴（５７）、（５７）は、それぞれ短支持バー（５８ｂ）の一端部に形成した丸穴（５７）と重ね合わせ、ボルト（５１）と蝶ナット（５５）で固定し、
前記両支持バー（５８ａ）、（５８ｂ）のそれぞれ他端の丸穴（５７）は、コーナー用の第３プレート（１３）の支持バー用の長穴（４３）と重ね合わせ、ボルト（５１）・蝶ナット（５５）で緊締・固定し、キャスター（Ｙ）を一時パレット（Ｘ）に固定する
ことを特徴とするパレットとキャスターのジョイント部材。
【請求項７】
前記プレート材（１０）には、複数の起立片（２０）と複数の増強部（６０）を設けた
ことを特徴とする請求項１記載または２記載のパレットとキャスターのジョイント部材。
【請求項８】
前記キャスター用の取付穴（３０）は、前記プレート材（１０）の平面中央部に設け、
市販用のキャスター（Ｙ）側の取付穴と適合する、小型キャスター用取付穴（３１）と、中型キャスター用取付穴（３２）の２種類の取付穴、或いは、これら取付穴（３１，３２）に大型用取付穴（３３）を加えた３種類の取付穴を設けた
ことを特徴とする請求項１または３記載のパレットとキャスターのジョイント部材。
【請求項９】
前記固定部材（５０）は、
コーナー用のプレート材（１１、１２，１３）、センター用のプレートのプレート材（１４，１５，１６）を介して、それぞれパレット（Ｘ）、キャスター（Ｙ）と取り付け・取り外しを可能にする部材であって、
ボルト（５１）、ナット（５２）、ワッシャ（５３）、ベルト（５４）、蝶ナット（５５）、受け板（５６）、丸穴（５７）、そして支持バー（５８）から選ばれた１または複数の組み合わせである
ことを特徴とする請求項１記載のパレットとキャスターのジョイント部材。
【請求項１０】
前記パッド（７０）は、コーナー用パッド（７１）とセンター用パッド（７２）からなる
ことを特徴とする請求項３または６記載のパレットとキャスターのジョイント部材。